(57)【要約】【課題】ネットワーク上のサーバ装置からダウンロード形式により取得したコンテンツデータについてその再生回数が制限される場合にも、例えばその試聴の機会を増やしコンテンツの販売促進を図る。【解決手段】サーバ装置側からダウンロードされて情報処理装置において記録されたコンテンツデータについて再生要求があった場合には、同じコンテンツデータについてサーバ装置に対し転送要求を行う。これによれば、情報処理装置に記録された（つまりダウンロード形式により取得された）コンテンツデータについての再生は行わずとも、再生要求のあったコンテンツデータと同じコンテンツデータについて再生を行うことができる。これによってダウンロード形式により取得されたコンテンツデータについてその再生回数を節約することができ、試聴の機会をより多く与えて販売促進を図ることができる。【選択図】図１１
2007279945.tif 000002
【特許請求の範囲】
【請求項１】
コンテンツデータが格納されたサーバ装置との間でネットワークを介したデータ通信を行うネットワーク通信手段と、
データが記録される記録媒体と、を備えると共に、
上記サーバ装置に格納されたコンテンツデータが受信されるように上記ネットワーク通信手段を制御すると共に、上記ネットワーク通信手段により受信されたコンテンツデータが上記記録媒体に記録されるように制御するダウンロード制御処理と、
上記ダウンロード制御処理により上記記録媒体に記録した上記コンテンツデータについての再生要求があった場合に、当該再生要求されたコンテンツデータと同じコンテンツデータについての転送要求が上記サーバ装置に対して行われるように上記ネットワーク通信手段に対する制御を行う転送要求処理と、
を実行するように構成された制御手段と、
を備えることを特徴とする情報処理装置。
【請求項２】
上記サーバ装置に格納されたコンテンツデータには、利用制限情報が付され、
上記制御手段は、上記転送要求処理として、
再生要求の行われたコンテンツデータが利用制限情報が付されたコンテンツデータであると判別した場合に、当該再生要求されたコンテンツデータと同じコンテンツデータについての転送要求が行われるように制御を行う、
ことを特徴とする請求項１に記載の情報処理装置。
【請求項３】
上記サーバ装置には、利用制限情報が付されたコンテンツデータと付されていないコンテンツデータとが格納され、
上記制御手段は、
再生要求の行われたコンテンツデータが利用制限情報が付されていないコンテンツデータであると判別した場合に、当該再生要求されたコンテンツデータについての再生が行われるように制御する再生制御処理をさらに実行する、
ことを特徴とする請求項１に記載の情報処理装置。
【請求項４】
上記制御手段は、
上記転送要求に応じて上記サーバ装置から受信されるコンテンツデータが再生されるように制御する再生制御処理を実行する、
ことを特徴とする請求項１に記載の情報処理装置。
【請求項５】
上記再生制御処理は、
上記サーバ装置から受信されるコンテンツデータがストリーミング再生されるように制御することを特徴とする請求項４に記載の情報処理装置。
【請求項６】
さらに、所定の外部機器との間でデータ通信を行うデータ通信手段を備える共に、
上記制御手段は、
上記記録媒体に記録されたコンテンツデータが上記データ通信手段によって上記外部機器に転送されるように制御する転送制御処理を実行するようにされる、
ことを特徴とする請求項１に記載の情報処理装置。
【請求項７】
コンテンツデータが格納されたサーバ装置との間でネットワークを介したデータ通信を行うネットワーク通信手段と、データが記録される記録媒体と、制御手段とを少なくとも備えた情報処理装置における再生制御方法として、
上記サーバ装置に格納されたコンテンツデータが受信されるように上記ネットワーク通信手段を制御すると共に、上記ネットワーク通信手段により受信されたコンテンツデータが上記記録媒体に記録されるように制御するダウンロード制御処理と、
上記ダウンロード制御処理により上記記録媒体に記録した上記コンテンツデータについての再生要求があった場合に、当該再生要求されたコンテンツデータと同じコンテンツデータについての転送要求が上記サーバ装置に対して行われるように上記ネットワーク通信手段に対する制御を行う転送要求処理と、
を備えることを特徴とする再生制御方法。
【請求項８】
コンテンツデータが格納されたサーバ装置との間でネットワークを介したデータ通信を行うネットワーク通信手段と、データが記録される記録媒体と、制御手段とを少なくとも備えた情報処理装置において実行されるべきプログラムとして、
上記サーバ装置に格納されたコンテンツデータが受信されるように上記ネットワーク通信手段を制御すると共に、上記ネットワーク通信手段により受信されたコンテンツデータが上記記録媒体に記録されるように制御するダウンロード制御処理と、
上記ダウンロード制御処理により上記記録媒体に記録した上記コンテンツデータについての再生要求があった場合に、当該再生要求されたコンテンツデータと同じコンテンツデータについての転送要求が上記サーバ装置に対して行われるように上記ネットワーク通信手段に対する制御を行う転送要求処理と、
を上記制御手段に実行させるプログラム。
【発明の詳細な説明】
【技術分野】
【０００１】
本発明は、コンテンツデータが格納されたサーバ装置との間でネットワークを介したデータ通信を行うことが可能とされた情報処理装置と、その再生制御方法に関する。また、上記情報処理装置において実行されるべきプログラムに関する。
【背景技術】
【０００２】
例えば、音楽や映像などのコンテンツについて、インターネットなどのネットワークを介した配信サービスが広く行われている。
具体的には、インターネット上に配信コンテンツを多数格納したサーバ装置を設け、パーソナルコンピュータなどインターネットへの接続機能を有した情報処理装置が、上記サーバ装置に格納されたコンテンツをダウンロードするといったものである。
【０００３】
この一方で、音楽コンテンツを再生するオーディオプレイヤとしては、携帯型のものが広く普及している。特に、各種電子機器の小型軽量化が進むにつれて、より携帯に適した携帯型オーディオプレイヤが普及してきており、屋外等で音楽コンテンツを楽しむ機会も多くなってきている。
【０００４】
携帯型オーディオプレイヤとしては、記録媒体の大容量化に伴い、例えば数百曲から数千曲ものコンテンツを格納できるように構成されたものも広く普及している。このように多くのコンテンツを効率的に管理できるようにすべく、携帯型オーディオプレイヤに格納されるコンテンツは、パーソナルコンピュータなどの情報処理装置によって行うことが主流となりつつある。
具体的に、先ずユーザは、上記のような音楽配信サイトからのダウンロード等により、パーソナルコンピュータ側にコンテンツを取得させる。そして、このようにパーソナルコンピュータに取得させたコンテンツを、携帯型のオーディオプレイヤに転送し、これを再生させてコンテンツを楽しむようにされている。
例えば、このようにしてパーソナルコンピュータなどの比較的処理能力の高い情報処理装置において携帯型オーディオプレイヤに格納すべきコンテンツを取り込むようにすることで、プレイリストの作成やコンテンツの追加・削除、タイトル名等の付加などの編集作業を効率的に行うことができるなどといったメリットがある。
【０００５】
なお、関連する従来技術については下記の特許文献を挙げることができる。
【特許文献１】特開２００１−３５７２２２号公報
【発明の開示】
【発明が解決しようとする課題】
【０００６】
ところで、近年の音楽配信サービスとしては、販売を目的とするコンテンツ以外にも、無料のコンテンツを提供するようにされたものもある。
例えば、ニュースや英会話レッスンなどの番組がファイル単位で用意されており、ユーザはそれらのファイルから所望のファイルを選択して無料でそれらをダウンロードすることができるようにされている。
【０００７】
また、音楽配信サイトでは、無料のコンテンツとして、販売する楽曲の試聴用のファイルが用意されているものもある。現状では、例えば楽曲の販売ページにおいて、購入ボタンと共に試聴ボタンが表示され、試聴ボタンをクリックすると試聴ファイルが再生されるといったことが実現されている。
【０００８】
ここで、このような販売楽曲についての無料試聴ファイルについても、上述したようなニュースや英会話レッスンなどの無料番組と同様に、それらをダウンロードして再生することができるようにすることが考えられる。
そして、このようにパーソナルコンピュータ側にダウンロードした試聴ファイルについては、上述のようにユーザがそれをＵＳＢケーブルなどを介して接続した携帯型オーディオプレイヤにさらに転送させることができる。これによってユーザは、携帯型オーディオプレイヤを持ち歩いて気軽に屋外等で試聴ファイルを再生させて流行の楽曲をチェックするといったことが可能となる。
【０００９】
但し、このようなダウンロード形式による試聴ファイルの再生にあたっては、著作権の問題から、その再生回数が制限される場合がある。特に、我が国（日本）においてＪＡＳＲＡＣ（日本音楽著作権協会）は、このようなダウンロード形式による試聴の制限について、再生回数は３回以内と規定し、それ以上の再生を行う場合には所定の著作権料の支払いを行わなければならないことを規定している。
そこで、現状においてパーソナルコンピュータをはじめとしたネットワーク接続機能を有する機器では、いわゆるストリーミング再生として、サーバ装置側に格納される試聴ファイルを受信しながらそれを再生するということが行われている。
【００１０】
しかしながら、上述のように携帯型オーディオプレイヤに試聴ファイルをダウンロードして気軽にそれを楽しむといったとき、現状ではそれらの機器はネットワーク接続機能を有していない場合が多く、その場合は再生回数制限を受けることになる。
【００１１】
試聴ファイルとしては、より多くその再生機会が与えられることで、楽曲の販売促進につながるなどのメリットを生むことができる。
このため、上述のようにして携帯型オーディオプレイヤで気軽に再生するといったことを前提とした場合、ダウンロード形式により取得した試聴ファイルについて、それをできる限り多く再生できるようにすることが望まれる。
【課題を解決するための手段】
【００１２】
そこで、本発明では以上のような問題点に鑑み、情報処理装置として以下のように構成することとした。
つまり、コンテンツデータが記録されたサーバ装置との間でネットワークを介したデータ通信を行うネットワーク通信手段と、データが記録される記録媒体とを備える。
また、上記サーバ装置に記録されたコンテンツデータが受信されるように上記ネットワーク通信手段を制御すると共に、上記ネットワーク通信手段により受信されたコンテンツデータが上記記録媒体に記録されるように制御するダウンロード制御処理と、
上記ダウンロード制御処理により上記記録媒体に記録した上記コンテンツデータについての再生要求があった場合に、当該再生要求されたコンテンツデータと同じコンテンツデータについての転送要求が上記サーバ装置に対して行われるように上記ネットワーク通信手段に対する制御を行う転送要求処理と、を実行する制御手段を備えるようにした。
【００１３】
上記本発明のように、サーバ装置側からダウンロードされて情報処理装置において記録されたコンテンツデータ（つまりダウンロード形式により取得されたコンテンツデータ）について再生要求があった場合には、同じコンテンツデータについてサーバ装置に対し転送要求を行うことで、再生要求のあったコンテンツデータをサーバ装置５側に転送させることができる。すなわち、このように転送要求に応じてサーバ装置側から転送されるコンテンツデータについて再生を行うようにすれば、ダウンロード形式により取得されたコンテンツデータについての再生は行わずとも、実質的に再生要求のあったコンテンツデータについて再生を行うことができる。
また、本発明の情報処理装置では、上記のようにしてサーバ装置に記録されるコンテンツデータをダウンロードするので、これを携帯型のオーディオプレイヤなどの外部機器に転送することができる。
【発明の効果】
【００１４】
このようにして本発明によれば、サーバ装置側からダウンロード形式により取得したコンテンツデータについての再生は行わずとも、再生要求のあったコンテンツデータと同じコンテンツデータについて再生を行うことができる。
これにより、例えばダウンロード形式により取得したコンテンツデータについてその再生回数が制限される場合にも、情報処理装置では再生回数を減らさずにダウンロードしたコンテンツデータを再生できる。これによれば、情報処理装置側にダウンロードしたコンテンツデータを携帯型オーディオプレイヤなど外部機器に転送して楽しむといったときに、情報処理装置側でそのコンテンツデータについての再生を行ったとしても再生回数を減らさずに済み、その分再生回数を節約することができる。
【００１５】
そして、このようにダウンロード形式により取得したコンテンツデータについての再生回数を節約できれば、コンテンツデータが販売用のコンテンツデータのサンプル版である場合において、その分サンプルデータの再生機会を多くすることができ、これによって販売用のコンテンツデータの販売促進を図ることができる。
【発明を実施するための最良の形態】
【００１６】
以下、発明を実施するための最良の形態（以下実施の形態とする）について説明していく。
【００１７】
−システム概要−
図１は本実施の形態としてのコンテンツ再生システム１の概要について説明するための図である。
この図に示されているように本実施の形態のコンテンツ再生システム１としては、パーソナルコンピュータ２と、ポータブルタイプのオーディオプレイヤとされる携帯端末装置３と、サーバ装置５を少なくとも含んで構成される。この場合、パーソナルコンピュータ２が本発明で言う情報処理装置に相当し、携帯端末装置３が外部機器、サーバ装置５がサーバ装置に相当する。
【００１８】
先ず、携帯端末装置３としては、パーソナルコンピュータ２との間でデータ通信を行うための通信手段を備えており、ユーザはパーソナルコンピュータ２に格納されるＰＣ側コンテンツデータベース（後述するＰＣ側コンテンツデータベース２８ａ）から、携帯端末装置３へのコンテンツデータ（及びその付加情報）をダウンロードするようにされる。
【００１９】
この場合、パーソナルコンピュータ２における上記ＰＣ側コンテンツデータベースは、図示するネットワーク４としての、例えばインターネットに接続されたサーバ装置５からダウンロードしたコンテンツデータとその付加情報により形成されるようになっている。
ここで、コンテンツの具体的な配信形態としては、例えばユーザが、パーソナルコンピュータ２をサーバ装置５により実現されるインターネット上の所定の配信サイトにアクセスさせ、このサイト上で所望のコンテンツを選択するようにされる。そして、このようにしてユーザにより選択されたコンテンツが、パーソナルコンピュータ２に対してダウンロードされるようになっている。
【００２０】
この場合、コンテンツとしては音楽（楽曲）であり、従ってパーソナルコンピュータ２に対してはサーバ装置５側に格納される音楽データファイルがダウンロードされるようになっている。
なお、この場合のコンテンツ配信サービスとしては、原則として１曲ごとに料金請求が発生するものとし、一部のコンテンツについては例えば試聴ファイルなどとして、無料のコンテンツも含まれているものとする。
【００２１】
サーバ装置５においては、パーソナルコンピュータ２に配信されるべきコンテンツデータとして、曲単位の音楽データファイルが多数格納されている。そしてこの場合、それぞれのコンテンツデータには、その付加情報が対応づけられて格納されている。つまり、コンテンツとしての楽曲の付加情報として、例えばその楽曲のタイトル（曲名）、ジャンル、アーティスト、リリース年（例えばその楽曲がリリースされた年月日の情報）などの情報が対応づけられている。
パーソナルコンピュータ２は、サーバ装置５側からのコンテンツのダウンロード時には、コンテンツデータとしての音楽データファイルと共にこれらの付加情報もダウンロードするようにされる。これによってパーソナルコンピュータ２では、これらの付加情報に基づいて、例えば再生中のコンテンツデータについてのタイトルなどの情報をユーザに提示するといったことができる。
【００２２】
また、上記もしているように本実施の形態では、このようにパーソナルコンピュータ２側にダウンロードされたコンテンツデータと付加情報とが、さらに携帯端末装置３側にダウンロードされるものとなる。すなわち、これによって携帯端末装置３においてもコンテンツデータとその付加情報とが対応づけられた端末側コンテンツデータベース（後述する端末側コンテンツデータベース５１ａ）が形成される。
本実施の形態のコンテンツ再生システム１において、最終的にユーザはこのように携帯端末装置３側にダウンロードされたコンテンツを再生させてこれを楽しむようにされることが想定されている。
【００２３】
−情報処理装置の構成−
図２は、図１に示したパーソナルコンピュータ２の内部構成について示すブロック図である。
図２において、先ずＣＰＵ２１は、起動されたプログラムに基づいて当該パーソナルコンピュータ２の全体制御、演算処理を行う。例えば、図示する入力部２５に対する入力に応じた動作、ＨＤＤ（Hard Disc Drive）２８へのデータファイルの格納や管理情報の作成・更新等を行う。またＣＰＵ２１は、図示するバス２２を介して各部との間で制御信号やデータのやりとりを行う。
なお、上記ＣＰＵ２１の処理により実現される本実施の形態としての動作については後に改めて説明する。
【００２４】
メモリ部２３は、ＣＰＵ２１が処理に用いるＲＯＭ（Read Only Memory）、ＲＡＭ（Random Access Memory）、フラッシュメモリなどを包括的に示している。このメモリ部２３のＲＯＭには、ＣＰＵ２１の動作プログラム、プログラムローダー等が記憶される。
特にこの場合は、先の図１にて説明したような、コンテンツ・付加情報についてのサーバ装置５からのダウンロードやＰＣ側コンテンツデータベース２８ａの生成、及び携帯端末装置３へのコンテンツデータとその付加情報のダウンロードなどの各種機能を実現するための専用のアプリケーションプログラム（以下コンテンツ管理アプリケーションとも呼ぶ）も格納される。なお、このようなコンテンツ管理アプリケーションについては、ＨＤＤ２８に対して格納することもできる。
また、上記フラッシュメモリには各種演算係数、プログラムで用いるパラメータ等が記憶され、ＲＡＭにはプログラムを実行する上でのデータ領域、タスク領域が一時的に確保される。
【００２５】
ＨＤＤ２８においては、ＣＰＵ２１の制御に基づいてデータファイルの格納や管理情報の作成・更新等が行われる。
特に、この場合のＨＤＤ２８に対しては、図示するようにしてサＰＣ側コンテンツデータベース２８ａが格納される。
このＰＣ側コンテンツデータベース２８ａは、先の図１の説明からも理解されるように、サーバ装置５からダウンロードしたコンテンツとその付加情報とが対応づけられて形成されたものとなる。なお、確認のために述べておくと、各コンテンツと付加情報との対応づけは、実際にはそれらの対応関係を記したコンテンツ管理情報（例えばＨＤＤ２８などに記録される）により行われる。コンテンツ管理情報の生成は、上記コンテンツ管理アプリケーションとしてのＣＰＵ２１の処理により行われる。
【００２６】
入力部２５は、図示されないキーボードやマウス、リモートコマンダー、その他の入力デバイスとされる。この入力部２５に対しては、ユーザが各種操作入力やデータ入力を行うものとして想定されている。
入力部２５で入力された情報は入力処理部２４で所定の処理が施され、ＣＰＵ２１に対して操作又はデータの入力として伝達される。そしてＣＰＵ２１では入力された情報に対応して必要な演算や制御を行うようにされる。
【００２７】
ディスプレイ２７は、例えば液晶ディスプレイなどの表示ディスプレイとされて、ユーザに対して各種情報表示を行う。例えばＣＰＵ２１が各種動作状態や入力状態、通信状態に応じて表示情報を表示処理部２６に供給すると、表示処理部２６は供給された表示データに基づいてディスプレイ２７を表示駆動し、これによって各種の情報についての表示出力が行われる。
【００２８】
通信処理部２９は、ＣＰＵ２１の制御に基づいて送信データのエンコード処理、受信データのデコード処理を行う。
ネットワークインタフェース３０は、上記通信処理部２９にてエンコードされた送信データを、図１に示したネットワーク４を介して所定の機器（特にこの場合はサーバ装置５）に送信する。またネットワーク４を介してサーバ装置５などの外部の装置から送信されてきたデータを、通信処理部２９に受け渡す。
通信処理部２９は受信した情報をＣＰＵ２１に転送する。
【００２９】
ＵＳＢ（Universal Serial Bus）インタフェース３１は、ＵＳＢケーブルを介して接続された外部機器（この場合は特に携帯端末装置３）との間でデータ通信を行うために設けられる。先の図１にて説明したようなＰＣ側コンテンツデータベース２８ａからのコンテンツデータと付加情報とについてのダウンロードは、このＵＳＢインタフェース３１を介して行われるものとなる。
【００３０】
また、パーソナルコンピュータ２に対しては、図示する音声信号処理部３２と音声出力部３３が設けられる。音声信号処理部３２は、コンテンツデータとしての音楽データファイルが再生されて得られるオーディオデータについて所要の音声信号処理を施す。
【００３１】
ここで、ＰＣ側コンテンツデータベース２８ａに格納される音楽データファイルについて再生指示が行われた場合、ＣＰＵ２１は、ＨＤＤ２８に該当する音楽データファイルについての読み出しを指示し、これに応じてＨＤＤ２８からバス２２を介して転送される音楽データファイルについて再生処理を行う。この場合、音楽データファイルとしては所定の音声圧縮方式により圧縮符号化されており、ＣＰＵ２１は転送される音楽データファイルについて圧縮伸張処理などを行ってオーディオデータを再生する。
ＣＰＵ２１は再生処理により得たオーディオデータを、バス２２を介して上記音声信号処理部３２に対して供給する。音声信号処理部３２は、供給されるオーディオデータについて、例えばＣＰＵ２１からの指示に基づき音量調整処理などの所要の音声信号処理を施すようにされる。
【００３２】
音声信号処理部３２にて音声信号処理の施されたオーディオデータはＤ／Ａ変換された後、音声出力部３３に供給される。音声出力部３３は、例えば音声信号を増幅するアンプや増幅された音声信号を出力するための音声出力端子を備え、再生オーディオデータに基づく音声信号を外部出力するようにされる。
【００３３】
なお、ここではパーソナルコンピュータ２と携帯端末装置３との間の通信インタフェースとしてＵＳＢインタフェースを採用するものとしたが、このようなパーソナルコンピュータ２と携帯型再生装置３との間の通信インタフェースとしては、例えばＩＥＥＥ(the Institute of Electrical and Electronic Engineers)１３９４などの他のインタフェースとすることもできる。或いは有線による通信以外にも、例えばBluetooth（登録商標）などの無線通信により行うこともできる。
【００３４】
−携帯端末装置の構成−
図３は、図１に示した携帯端末装置３の内部構成について示すブロック図である。
図３において、ＣＰＵ４１は、起動されたプログラムに基づいて携帯端末装置３全体の制御、演算処理を行う。例えばユーザに対する入出力動作、ＨＤＤ５１によるデータの記録／再生の制御等を行う。
ＣＰＵ４１に対しては、図示するようにＲＯＭ４２とＲＡＭ４３とが備えられる。
ＲＯＭ４２には、ＣＰＵ４１の動作プログラム、プログラムローダー、各種演算係数、プログラムで用いるパラメータ等が記憶される。また、上記ＲＡＭ４３には、プログラムを実行する上でのデータ領域、タスク領域が一時的に確保される。
【００３５】
操作入力部４６は、例えば携帯端末装置３の筐体外面に表出するようにして備えられる図示されない操作キー等による入力デバイスであって、ユーザが各種操作入力やデータ入力を行う。操作入力部４６で入力された情報はＣＰＵ４１に対して操作又はデータの入力情報として伝達される。ＣＰＵ４１は入力された情報に対応して必要な演算や制御を行う。
【００３６】
表示部４７は、例えば液晶パネルなどの表示パネルを備え、ユーザに対して各種情報表示を行う。表示処理部４８は、ＣＰＵ４１から各種動作状態や入力状態、通信状態に応じて供給される表示データに基づき、表示部４７を駆動して表示動作を実行させる。
【００３７】
また、携帯端末装置３に対しては、図示するＵＳＢインタフェース４４が設けられる。ＵＳＢインタフェース４４は、ＵＳＢケーブルを介して接続された外部機器（この場合は特にパーソナルコンピュータ２）との間でデータ通信を行うために設けられる。
先の説明からも理解されるように、このＵＳＢインタフェース４４を介しては、パーソナルコンピュータ２からのコンテンツデータ（音楽データファイル）とその付加情報が受信される。そして、このように受信された音楽データファイルとその付加情報は、上述したパーソナルコンピュータ２側のコンテンツ管理アプリケーションによる指示に基づくＣＰＵ４１の制御処理によって、それらが対応づけられてＨＤＤ５１に対して記録されるようになっている。すなわち、これによってＨＤＤ５１に対しては、図示する端末側コンテンツデータベース５１ａが形成される。
【００３８】
記録／再生部４５は、ＨＤＤ５１に対する記録データを生成するための処理、及びＨＤＤ５１から読み出されたデータについての再生処理を行うために設けられる。
例えば、ＨＤＤ５１に対するデータの記録時において、記録／再生部４５は、ＣＰＵ４１から供給されるデータ（この場合は特に通信データとして受信された音楽データファイルとその付加情報）について所定のエンコード処理を行って記録データを生成する。そして、この記録データをＨＤＤ５１に受け渡して記録させる。
また、再生時においては、ＨＤＤ５１から読み出されたデータについて所定のデコード処理（この場合は圧縮符号伸張処理など）を行って再生データを得る。再生される音楽データ（オーディオデータ）については、音声信号処理部４９に供給するようにされる。また再生される音楽データの付加情報についてはＣＰＵ４１に供給するようにされる。この際、ＣＰＵ４１はこの付加情報に基づく表示データを生成してこれを表示処理部４８に供給することで、表示部４７上に再生中のオーディオデータについてのタイトル名などの情報を文字等により表示させることができる。
【００３９】
音声信号処理部４９は、ＣＰＵ４１の制御に基づき、供給されるオーディオデータについて所要の音声信号処理を施す。例えばＣＰＵ４１からの指示に基づく音量調整処理などを行うようにされる。
音声信号処理部４９にて音声信号処理の施されたオーディオデータはＤ／Ａ変換された後、ヘッドホンアンプ５０にて増幅されて図示するヘッドホン端子Ｔhdに対して供給される。これにより、ヘッドホン端子Ｔhdに対して接続されたヘッドホン（図示せず）を介しての音声出力を行うことが可能とされる。
【００４０】
ＨＤＤ５１には、図示するように端末側コンテンツデータベース５１ａが格納される。
先の説明からも理解されるように、この端末側コンテンツデータベース５１ａは、パーソナルコンピュータ２側からＵＳＢインタフェースを介して携帯端末装置２にダウンロードされた音楽データファイルとその付加情報とが対応づけられて形成されたものとなる。この場合も、これら音楽データファイルと付加情報との対応づけは、例えば同じくＨＤＤ５１に記録されてそれらの対応関係を記すコンテンツ管理情報により実現される。
【００４１】
−サーバ装置の構成−
続いて、図４のブロック図は、図１に示したサーバ装置５の内部構成について示している。
図４において、先ずＣＰＵ６１は、起動されたプログラムに基づいて当該サーバ装置５の全体制御、演算処理を行う。例えば、図示する入力部６５に対する入力に応じた動作、ＨＤＤ６８へのデータファイルの格納や管理情報の作成・更新等を行う。またＣＰＵ６１は、図示するバス６２を介して各部との間で制御信号やデータのやりとりを行う。
【００４２】
メモリ部６３は、ＣＰＵ６１が処理に用いるＲＯＭ、ＲＡＭ、フラッシュメモリなどを包括的に示している。このメモリ部６３のＲＯＭには、ＣＰＵ６１の動作プログラム、プログラムローダー等が記憶される。また、上記フラッシュメモリには各種演算係数、プログラムで用いるパラメータ等が記憶され、ＲＡＭにはプログラムを実行する上でのデータ領域、タスク領域が一時的に確保される。
【００４３】
ＨＤＤ６８においては、ＣＰＵ６１の制御に基づいてデータファイルの格納や管理情報の作成・更新等が行われる。
特に、この場合のＨＤＤ６８に対しては、図示するようにしてサーバ側コンテンツデータベース６８ａが格納される。
このサーバ側コンテンツデータベース６８ａには、パーソナルコンピュータ２に対して配信されるべきコンテンツデータ（音楽データファイル）と、その付加情報とが対応づけられて格納される。
先にも述べたように、このサーバ側コンテンツデータベース６８ａとしては、コンテンツデータとしての音楽データファイルに対し、その付加情報として例えばその楽曲のタイトル、ジャンル、アーティスト、リリース年の情報などが対応づけられたものとなる。
なお、このようなサーバ側コンテンツデータベース６８ａについても、実際には例えばＨＤＤ６８などに記録されるコンテンツ管理情報により各コンテンツと付加情報との対応づけが行われる。
【００４４】
入力部６５は、図示されないキーボードやマウス、リモートコマンダー、その他の入力デバイスとされる。この入力部６５に対しては、サービスを運営する側のオペレータなどが各種操作入力やデータ入力を行うものとして想定されている。
入力部６５で入力された情報は入力処理部６４で所定の処理が施され、ＣＰＵ６１に対して操作又はデータの入力として伝達される。そしてＣＰＵ６１では入力された情報に対応して必要な演算や制御を行うようにされる。
【００４５】
ディスプレイ６７は、例えば液晶ディスプレイなどの表示ディスプレイとされて、オペレータ等に対して各種情報表示を行う。例えばＣＰＵ６１が各種動作状態や入力状態、通信状態に応じて表示情報を表示処理部６６に供給すると、表示処理部６６は供給された表示データに基づいてディスプレイ６７を表示駆動し、これによって各種の情報についての表示出力が行われる。
【００４６】
通信処理部６９は、ＣＰＵ６１の制御に基づいて送信データのエンコード処理、受信データのデコード処理を行う。
ネットワークインタフェース７０は、上記通信処理部６９にてエンコードされた送信データをネットワーク４を介して所定の機器（特にパーソナルコンピュータ２）に送信する。またネットワーク４を介してパーソナルコンピュータ２などの外部の装置から送信されてきた信号を、通信処理部６９に受け渡す。
通信処理部６９は受信した情報をＣＰＵ６１に転送する。
【００４７】
−実施の形態で想定する音楽配信サービス−
ここで、近年の音楽配信サービスとしては、販売を目的とするコンテンツ以外にも、無料のコンテンツを提供するようにされたものもある。
例えば、ニュースや英会話レッスンなどの番組がファイル単位で用意されており、ユーザはそれらのファイルから所望のファイルを選択して無料でダウンロードすることができるようにされている。
【００４８】
また、音楽配信サイトでは、無料のコンテンツとして、販売する楽曲の試聴用のファイルが用意されているものもある。現状では、例えば楽曲の販売ページにおいて、購入ボタンと共に試聴ボタンが表示され、試聴ボタンをクリックすると試聴ファイルが再生されるといったことが実現されている。
【００４９】
ところで、このような販売楽曲についての無料試聴ファイルについても、上述したようなニュースや英会話レッスンなどの無料番組と同様に、それらをダウンロードして再生することができるようにすることが考えられる。すなわち、これら試聴ファイルについて、例えば売り上げの多い上位所定数のファイルをおすすめの楽曲としてグループ化しておき、それらをパーソナルコンピュータ２側にダウンロードすることができるようにする。
ユーザは、このようにパーソナルコンピュータ２にダウンロードされた試聴ファイル群をＵＳＢケーブルを介して接続した携帯端末装置３側にさらに転送する。これによってユーザは、携帯端末装置３を持ち歩いて気軽に屋外等で試聴ファイルを再生させて流行の楽曲をチェックすることができる。
【００５０】
このようなことを考慮して、実施の形態のコンテンツ再生システム１としては、サーバ装置５側に格納される販売楽曲についての試聴ファイルについても、上記のように携帯端末装置３で気軽に再生することができるように、パーソナルコンピュータ２側にダウンロードすることができるように構成している。
【００５１】
この際、本実施の形態のコンテンツ再生システム１では、利便性の向上を図る上で、これら試聴ファイルについては、例えば上述したような人気や売り上げ順、または新譜順などで上位所定数の楽曲についての試聴ファイルを１番組単位とし、それらをまとめてダウンロードできる機能を実現するものとしている。
【００５２】
このような番組単位による試聴ファイル群のダウンロードを行うとした場合、先ずユーザは、先に説明したパーソナルコンピュータ２のコンテンツ管理アプリケーションを起動させる。コンテンツ管理アプリケーションについては、例えば図２に示したディスプレイ２７の画面上に表示される所定のアイコン上にカーソルを合わせた状態でダブルクリック操作を行うなど、所定操作を行うことで起動させることができる。
そして、このコンテンツ管理アプリーケーションが起動された状態で表示される画面上で所定操作を行うことで、次の図５に示すようなダウンロード番組選択画面を表示させることができる。
【００５３】
図５において、このダウンロード番組選択画面上には、図示するようにして「Weekly Top5」「Ｊ-Pop new singles」「J-Rock new singles」などのダウンロード対象番組の名称情報が選択項目として表示される。
つまり、この場合は上記番組単位として、週間売り上げが上位５位以内となる楽曲についての試聴ファイル群や、所定のジャンルに属する楽曲のうち新譜とされる楽曲についての試聴ファイル群などについて、それらをまとめてダウンロードすることができるようにされている。
【００５４】
このダウンロード番組選択画面において、ユーザは、例えば図中のカーソルＣＲをマウス操作によってチェックボックスｃｂ上に移動させ、そこでマウスの左クリック操作など所定操作を行うことで、そのチェックボックスｃｂ内にチェックマークを表示させることができる。これによってそのチェックボックスｃｂに対応づけられて表示されている項目を選択することができる。
その上で、カーソルＣＲを決定ボタンアイコンＢdis上に合わせて、そこで左クリック操作など所定操作を行うことで、選択した項目についての定期ダウンロードを指示することができる。
【００５５】
ここで、上述の各番組タイトル名からも理解されるように、本実施の形態の場合、各番組としては週単位などの所定周期でその内容が更新されるものを想定している。すなわち、サーバ装置５側では、予め定められた所定周期で番組内容としての試聴ファイルの構成を更新するようにされている。
このことに対応させて、実施の形態のコンテンツ再生システム１としては、定期ダウンロードサービスを実現するものとしている。すなわち、先ずはパーソナルコンピュータ２において上記のようにダウンロード番組選択画面を表示させて、ユーザに定期ダウンロードを希望する番組を選択させる。
【００５６】
パーソナルコンピュータ２では、上記のようなユーザの選択・決定操作に応じて、先ずは選択された番組としての試聴ファイル群をサーバ装置５側からダウンロードすると共に、その後は、サーバ装置５側とデータ通信可能に接続されるごとに、選択された番組の内容が更新されたか否かを確認し、更新された場合は新たに該当する番組をダウンロードする。
これによってユーザに常に新しい内容による番組を提供することができるようにされている。
【００５７】
とろこで、このようにパーソナルコンピュータ２側にダウンロードされた試聴ファイルについては、前述の著作権に係る規制を考慮すると、それらの再生回数を管理する必要がある。
このために、本実施の形態のコンテンツ再生システム１は、このような試聴ファイルについての再生回数の管理が可能となるように構成するものとしている。
このことについて、以下の図６〜図１０を参照して説明する。
【００５８】
図６は、実施の形態のコンテンツ再生システム１において行われる試聴ファイルの再生回数制限動作について模式的に示している。なお、この図６においては、図１に示したネットワーク４は省略している。
先ず、サーバ装置５に対しては、図示するようにして通常ファイルとしての販売用楽曲と共に、試聴ファイルとしての無料サンプルが格納されている。そして、本実施の形態の場合、試聴ファイルとしては、上述のような売り上げの多い上位所定数の試聴ファイルなど所定の条件を満たす試聴ファイルについて、それらを１番組を構成するファイル群として管理するものとされている。
ここでは、図示するようにして先に説明した「Weekly Top5」としての試聴ファイル群が１番組として管理される場合が例示されている。また、このような「Weekly Top5」を構成する試聴ファイルを、それぞれ試聴ファイルＦ〜Ｊと示している。
【００５９】
そして、特に本実施の形態の場合、サーバ装置５に格納されるこれら試聴ファイルに対しては、必要に応じて利用制限情報が付されるものとなる。
ここで、試聴ファイルとしては、例えばその楽曲自体についての著作権の存続期間が終了しているものなど、著作権の効力が及ばないものも想定できる。そのような試聴ファイルについては、特に再生回数制限を行う必要はない。
この図の例では、全ての試聴ファイル（Ｆ〜Ｊ）に対し、再生回数制限を行う必要のあるファイルであることを示す利用制限情報を付加するものとしているが、これは全ての試聴ファイルについて利用制限情報を付さなければならいことを示しているものではない。すなわち、サーバ装置５側においては、著作権の効力の及ぶ楽曲の試聴ファイルについては利用制限情報を付し、それ以外の試聴ファイルについては利用制限情報は付さないものとすることができる。
【００６０】
このような前提を踏まえ、先の図５に示したダウンロード番組選択画面上でダウンロードすべき番組が選択された場合の動作について説明すると、先ず、ユーザによるダウンロード番組の選択操作が行われたことに応じ、パーソナルコンピュータ２では、図中＜１＞と示すようにして指定された番組としての試聴ファイル群をサーバ装置５側からダウンロードするようにされる。
ここでは、「Weekly Top5」の番組が選択されたとして、サーバ装置５側からは「Weekly Top5」を構成する試聴ファイルＦ〜Ｊについてのダウンロードが行われる場合を示している。
【００６１】
ここで、パーソナルコンピュータ２側にダウンロードされるこれら試聴ファイルＦ〜Ｊについては、利用制限情報が付されているが、パーソナルコンピュータ２側では、ダウンロードした試聴ファイルについては、先ずはそれらに利用制限情報が付されているか否かを判別するようにされる。
そして、利用制限情報が付されたファイルであると判別された場合には、図中＜２＞と示されるようにして、ダウンロードした試聴ファイルに対応づけて再生可能回数情報と転送回数情報とを付すものとされる。
再生可能回数情報としては、例えば上述したＪＡＳＲＡＣの規定に則したものとする場合には、「３」が設定されることになる。
また、転送回数情報としては、試聴ファイルの携帯端末装置３へのダウンロード回数を示すための情報となる。サーバ装置５側からパーソナルコンピュータ２側にダウンロードされた時点では試聴ファイルの携帯端末装置３側への転送は未だ行われていないので、転送回数情報としては、先ずは「０」を付すようにされる。
【００６２】
なお、これまでの説明から理解されるように、パーソナルコンピュータ２において、サーバ装置５からの試聴ファイルのダウンロード処理は、コンテンツ管理アプリケーションとしてのＣＰＵ２１の処理動作に基づき行われる。つまり、このようなダウンロード処理としては、サーバ装置５への該当するデータファイルの転送要求が行われるように通信処理部２９に対する制御を行い、さらに当該転送要求に応じてサーバ装置５側から転送されるデータファイルとその付加情報を記録するようにＨＤＤ２８に対する指示を行う。
このようなダウンロード処理が行われることによって、各試聴ファイルＦ〜Ｊとそれらの付加情報とが、ＨＤＤ２８内のＰＣ側コンテンツデータベース２８ａに対して追加されるようになっている。
【００６３】
また、このようにして追加された試聴ファイルＦ〜Ｊに対しては、上述のようにして再生可能回数情報と転送回数情報とを付加するようにされる。これら試聴ファイルと再生可能回数情報・転送回数情報の対応づけを行うために、コンテンツ管理アプリケーションとしては、次の図８に示すようなデータ構造による管理情報を生成するようにされている。
つまり、コンテンツ管理アプリケーションは、各ファイルを一意に特定するためのファイルＩＤにより各ファイルを管理するもとされているが、上述のようにして利用制限情報が付されているとして再生可能回数情報と転送回数情報とを付加すべきとされたファイルについては、そのファイルＩＤに対応づけて再生可能回数情報と転送回数情報とを格納した管理情報を生成するようにされる。
このような管理情報については、例えばＨＤＤ２８に対して記録するようにされる。
【００６４】
また、図７には、上記のようにＰＣ側コンテンツデータベース２８ａに試聴ファイルが追加された場合において、コンテンツ管理アプリケーションにより提示される格納ファイルの一覧画面の表示例について示している。
この図７に示されるようにして、番組単位により一括してダウンロードされた試聴ファイル群（Ｆ〜Ｊ）は、１番組としての所定のグループを形成するものとして表示される。具体的には、それぞれが同じ「Weekly Top5」というアルバム名が付されて、１グループを形成するものとして扱われるものとなっている。
このような各試聴ファイルとアルバム名による番組名との対応づけは、既にサーバ装置５側において行われているものとする。すなわち、パーソナルコンピュータ２におけるコンテンツ管理アプリケーションとしては、このように番組名がアルバム名として予め対応づけられた試聴ファイルをダウンロードしてＰＣ側コンテンツデータベース２８ａに通常どおり追加する処理を行うことで、それらの試聴ファイルを所定の番組単位により管理することができるようにされている。
【００６５】
説明を図６に戻す。
本実施の形態のコンテンツ再生システム１では、上記のようにしてサーバ装置５からパーソナルコンピュータ２にダウンロードされた音楽データファイルについて、それを図中＜３＞と示すように携帯端末装置３側に転送（コピー）して、最終的にユーザはこの携帯端末装置３側に格納された音楽データファイルについて再生させてこれを楽しむようにされている。
【００６６】
ここで、このような携帯端末装置３側への音楽データファイルの転送時において、パーソナルコンピュータ２は、再生可能回数情報が付された試聴ファイルについては、その再生可能回数情報も共に携帯端末装置３側に転送するようにされる。
また、転送回数情報が付された試聴ファイルについて転送を行った場合には、その試聴ファイルに付される転送回数情報の値がインクリメント（＋１）されるように、先の図８に示した管理情報の内容を更新するようにされる。
【００６７】
なお、このようにして転送回数情報を管理することで、利用制限情報が付された試聴ファイルについては、既に携帯端末装置３側への転送が行われたか否かを判別することができる。そして、転送が行われた試聴ファイルについてはそれ以上の転送が行われないようにすることで、例えば同じ試聴ファイルをそれぞれ異なる携帯端末装置に対して転送し、携帯端末装置の台数分だけ再生可能回数を増やすことができるようにするといったような不正が行われないようにすることができる。
【００６８】
携帯端末装置３側では、パーソナルコンピュータ２側から試聴ファイルとその再生可能回数情報が転送されると、先ずは試聴ファイルをＨＤＤ５１に記録するようにされる。
この場合、先にも述べたようにパーソナルコンピュータ２側からの転送ファイルのＨＤＤ５１への記録は、パーソナルコンピュータ２側のコンテンツ管理アプリケーションの指示に基づくＣＰＵ４１の制御に基づいて行われる。
パーソナルコンピュータ２から転送された試聴ファイルは、ＣＰＵ４１の制御に基づき、記録／再生部４５がＨＤＤ５１に対して記録するようにされる。また、図示は省略したが、実際には試聴ファイルと共にその付加情報も転送され、ＨＤＤ５１に対してはこの付加情報も記録されることになる。そして、ＣＰＵ４１としては、これら付加情報と試聴ファイルとの対応づけが為されるようにＨＤＤ５１に記録されるコンテンツ管理情報の更新処理も行うようにされる。これによってパーソナルコンピュータ２側から転送された試聴ファイルとその付加情報とが、端末側コンテンツデータベース５１ａに追加されたものとして扱われるもとなる。
【００６９】
そして本例の場合は、上記のようにしてパーソナルコンピュータ２側から転送された試聴ファイルとその再生可能回数情報とについての対応づけも行うようにされる。
このような対応づけを行うための管理情報としては、例えば次の図９に示すようにして、各試聴ファイルを特定するためのファイルＩＤに対し、該当する再生可能回数情報を対応づけた情報を生成するようにされる。
すなわち、携帯端末装置３のＣＰＵ４１は、パーソナルコンピュータ２から転送された試聴ファイルのうち、再生可能回数情報が付された試聴ファイルについては、そのファイルＩＤと再生可能回数情報とを対応づけて例えばＨＤＤ５１に記録する。これによって図９に示すような管理情報が生成される。
【００７０】
携帯端末装置３では、このようにして生成した管理情報に基づき、各試聴ファイルについての再生回数制限を行うことができる。
すなわち、或る試聴ファイルについての再生指示があった場合、先ずは上記のようにＨＤＤ５１などに記録した管理情報を参照し、そのファイルに対し再生可能回数情報が付されているかを確認することで、利用制限としての再生回数制限が必要なファイルであるかを確認することができる。
そして、再生回数制限が必要であるとされた場合は、その試聴ファイルと対応づけられている再生可能回数情報の値が「０」となっているか否かについて判別し、「０」でないとされた場合は、その試聴ファイルについての再生が開始されるように制御し、再生が開始されたとした場合は、その試聴ファイルに対応づけられた再生可能回数情報の値をデクリリメント（−１）するようにされる。
【００７１】
なおこの場合、試聴ファイルについての「再生が開始された」とは、ＨＤＤ５１から読み出された試聴ファイルとしての音楽データファイルについて、記録／再生部４５における例えば音声圧縮符号伸張処理（デコード処理）が開始された時点であるとする。すなわち、この場合の携帯端末装置３のＣＰＵ４１としては、記録／再生部４５に対するファイル再生指示を行った後、記録／再生部４５にてデコード処理が開始されたことに応じて試聴ファイルについての再生が開始されたと判別するようにされているものとする。
【００７２】
ところで、上記説明では、再生可能回数情報の値が「０」であるか否かによりファイルの再生可否を判別するものとしたが、これに代え、規定回数分の再生が行われて再生可能回数情報の値が「０」となったファイルについては、例えばその再生後にファイルを消去する（そのファイルが消去されたもとして扱われるようにコンテンツ管理情報のみを更新することも含む）ことで、以降のそのファイルについての再生が行われないようにすることもできる。
【００７３】
また、携帯端末装置３側において規定回数分の再生が行われて再生可能回数情報の値が「０」となった（または上記のようにして規定回数分の再生が行われて消去された）試聴ファイルについては、規定回数分の再生が行われた旨を、データ通信可能に接続されたパーソナルコンピュータ２側に通知するように構成することもできる。
パーソナルコンピュータ２側では、このように携帯端末装置３側で規定回数分の再生が行われたことを示す通知に基づき、例えば該当する試聴ファイルについては既にそのファイルの再生が不能であることをユーザに通知するといったことなどが可能となる。
【００７４】
ここで確認のために、次の図１０を参照して、この場合の携帯端末装置３側において試聴ファイルを再生させるための操作手順例について説明しておく。
先ず、上述もしたように、サーバ装置５側から１番組を構成するとしてダウンロードされた試聴ファイル群については、それらが同じアルバムに属するものとして扱われるものとなっている。このため、携帯端末装置３側においてその番組を構成するファイルについて再生を行うとした場合、先ずは図１０（ａ）に示されるように「アルバム」の項目を選択するようにされる。なお、各項目の選択は、表示画面上に表示されたカーソルＣＲを、例えば操作入力部４６に設けられた十字キーなどで移動させることで行うことができる。また、選択した項目の決定操作は、例えば同じく操作入力部４６に設けられる決定キーを操作することで行うことができる。
そして、「アルバム」の項目について選択・決定操作が為された場合、表示画面上には図１０（ｂ）に示すようなアルバム一覧画面が表示される。このアルバム一覧画面において、「Weekly Top5」としての番組名の情報が表示されることになる。
この番組名の情報をカーソルＣＲにより選択し決定操作を行うと、次の図１０（ｃ）に示されるように該当する番組を構成する試聴ファイルの一覧が表示される。ユーザはこの一覧からカーソルＣＲにより所望のファイルを選択して決定操作を行うことで、その試聴ファイルについての再生の開始を指示することができる。
【００７５】
−実施の形態としての動作−
ところで、これまでで説明してきたコンテンツ再生システム１においては、試聴ファイルは、最終的に携帯端末装置３側で試聴するようにされることを想定しているので、パーソナルコンピュータ２側に格納される試聴ファイルについての再生は禁止することが考えられる。
ここで、これまでで説明した試聴ファイルの再生回数制限の流れを追ってみると、先ずサーバ装置５からパーソナルコンピュータ２側にダウンロードされた利用制限付き試聴ファイルについては、その再生回数情報の値は「３」となる。そして、このパーソナルコンピュータ２側にダウンロードされた試聴ファイルが携帯端末装置３側にさらに転送され、そこで当該試聴ファイルについての再生が行われた場合は、再生可能回数情報の値は「２」とされるが、このときパーソナルコンピュータ２側に残された同じ試聴ファイルについては、その再生可能回数情報の値は依然として「３」のままとなる。
従って、この場合においてパーソナルコンピュータ２側にて同ファイルについての再生が可能とされてしまうと、ダウンロード形式による試聴ファイルについて、規定された回数以上の再生を許可してしまうことになりかねない。
このために、上記のようにしてパーソナルコンピュータ２側に格納される試聴ファイルについての再生は禁止すべきであり、それによって規定違反を許容してしまう虞のない健全なシステムを構築することが必要となる。
【００７６】
しかしながら、このようにしてパーソナルコンピュータ２側でダウンロードした試聴ファイルの再生が禁止されるとなると、その試聴ファイルについては携帯端末装置３側に一度転送しないと再生することができなくなってしまうことになる。すなわち、このことによると、試聴ファイルをダウンロードしたその場で聞くことができないといった不都合が生じてしまう。
【００７７】
また、上述もしたが、そもそも試聴ファイルについての利用制限が課されることは、試聴ファイルの配布により有効な販売促進効果を得ることの妨げとなる。
【００７８】
そこで、本実施の形態としては、パーソナルコンピュータ２側にダウンロードした利用制限付き試聴ファイルについて、その再生指示があった場合には、サーバ装置５側に格納される同じ試聴ファイルについて転送要求を行い、この転送要求に応じて転送される試聴ファイルについて再生を行うものとする。
【００７９】
図１１は、このような本実施の形態としての動作について模式的に示している。なお、この図１１においても図１に示したネットワーク４については省略して示している。
図１１において、例えば図中＜１＞と示すようにパーソナルコンピュータ２側に格納される試聴ファイルについて再生指示が行われたとする。
このようなパーソナルコンピュータ２側に格納される試聴ファイルについて再生指示を行うにあたり、先ずユーザは、所定操作によりコンテンツ管理アプリケーションを起動させることで、先の図７にて示したような、ＰＣ側コンテンツデータベース２８ａに格納される音楽データファイルの一覧画面を表示させる。この一覧画面においては、図示するようにして例えば音楽データファイルのタイトルの一覧とその他の付加情報、及びカーソルＣＲが表示されており、ユーザはこのカーソルＣＲをマウス等により移動させることで、所望の音楽データファイル（のタイトル）を選択することができる。そして、例えばマウスのダブルクリック操作など所定の決定操作を行うことで、カーソルＣＲにより指し示される音楽データファイルについての再生指示を行うことができる。
ここでは、図１１に示されるようにして試聴ファイルＦについての再生指示が行われたものとして示している。
【００８０】
パーソナルコンピュータ２では、このように試聴ファイルについての再生指示が為されたことに応じ、＜２＞と示すようにして再生指示の行われた試聴ファイル（試聴ファイルＦ）についての転送要求をサーバ装置５に対して行うようにされる。
【００８１】
この転送要求に応じサーバ装置５では、＜３＞と示すようにして要求されたファイル（試聴ファイルＦ）をパーソナルコンピュータ２側に転送するようにされる。
【００８２】
そしてパーソナルコンピュータ２では、＜４＞と示されるように、このようにサーバ装置５側から転送されるファイル（試聴ファイルＦ）についてストリーミング再生を行うようにされる。
なお、ここで言うストリーミング再生とは、転送されるファイルを受信しながらその再生を行うことを指し、具体的には、受信される音楽データファイルを例えばメモリ部２３内のＲＡＭ等にバッファリングしながら、そのバッファリングデータについて音声圧縮符号伸張処理などのデコード処理を順次行って再生データとしてのオーディオデータを得るようにされる。
【００８３】
この図１１に示すようにして本実施の形態では、パーソナルコンピュータ２において既にサーバ装置５側からダウンロード形式により取得した利用制限付き試聴ファイルについて再生指示が行われた場合には、その試聴ファイルと同じ試聴ファイルをサーバ装置５から転送させてこれをストリーミング再生するものとしている。
このようにして、パーソナルコンピュータ２側にダウンロード形式により取得された試聴ファイルであってもそれをサーバ装置５からストリーミング再生するものとすれば、ダウンロード形式により取得した試聴ファイルの再生には該当せず、よってパーソナルコンピュータ２側においては、携帯端末装置３側での再生回数は考慮せずに、再生指示のあった試聴ファイルの再生を行うことができる。
これにより、上述したようなパーソナルコンピュータ２においてダウンロードしたその場で試聴ファイルを再生することができないといった問題は解決することができる。
【００８４】
また、上記本実施の形態としての動作によれば、パーソナルコンピュータ２においてダウンロード形式により取得した試聴ファイルについて再生を行ったとしても再生回数を減らすことはないので、ダウンロードした試聴ファイルをさらに携帯端末装置３に転送してそれを再生して楽しむといったときに、携帯端末装置３側の再生回数を減らすことはない。すなわち、この点で、試聴ファイルの再生回数を節約することができる。
このように再生回数を節約できれば、その分ユーザに試聴の機会をより多く与えることができるようになって、楽曲の販売促進を図ることができる。
【００８５】
−処理動作−
続いては、上記説明による本実施の形態としての動作を実現するために行われるべき処理動作について、次の図１２のフローチャートを参照して説明する。
図１２においては、上記本実施の形態としての動作を実現するための処理動作として、パーソナルコンピュータ２側とサーバ装置５側とでそれぞれ行われるべき処理動作について示している。
なお、図１２において、パーソナルコンピュータ２側の処理動作は、図２に示したＣＰＵ２１が、例えばメモリ部２３のＲＯＭにおいてコンテンツ管理アプリケーションプログラムの一部として格納されるプログラムに基づき実行するものである。また、サーバ装置５側の処理動作は、図４に示したＣＰＵ６１が例えばメモリ部６３内のＲＯＭに格納されるプログラムに基づいて実行するものである。
また、この図１２において、パーソナルコンピュータ２側では既にコンテンツ管理アプリケーションが起動された状態にあるものとする。
【００８６】
先ず、パーソナルコンピュータ２側において、ステップＳ１０１では、ファイル再生指示を待機する。つまり、この場合は、先に説明したようにしてディスプレイ２７上に表示したＰＣ側コンテンツデータベース２８ａ内に格納される音楽データファイルについての一覧画面において示される各音楽データファイルのタイトルのうちから、所要のタイトルに対しカーソルＣＲが指し示され、例えばマウスのダブルクリック操作など所定の決定操作が行われるのを待機するようにされる。
【００８７】
ファイル再生指示が行われた場合は、ステップＳ１０２において、利用制限付きファイルであるか否かについて判別処理を行う。本例の場合、サーバ装置５側で利用制限情報が付されて利用制限付きとされたファイルについては、パーソナルコンピュータ２側で再生可能回数情報と転送回数情報とを付すようにされている。従ってこのステップＳ１０２では、再生指示のあったファイルについて、例えばこれら再生可能回数情報と転送回数情報とが付されているか否かについて判別処理を行うことで、利用制限付きファイルであるか否かについて判別するようにされる。
【００８８】
ステップＳ１０２において、再生可能回数情報と転送回数情報の何れも付されていないとして、利用制限付きファイルではないとの否定結果が得られた場合は、ステップＳ１０７に進み、通常の再生処理を行うようにされる。すなわち、再生指示の行われた音楽データファイルの読み出しをＨＤＤ２８に指示し、これに応じ読み出される音楽データファイルについて圧縮符号伸張処理などの所定のデコード処理を行って再生データとしてのオーディオデータを得るようにされる。
【００８９】
また、上記ステップＳ１０２において、再生可能回数情報と転送回数情報とが付されているとして利用制限付きファイルであるとの肯定結果が得られた場合は、ステップＳ１０３において、サーバ装置５への接続処理を実行する。
その上で、続くステップＳ１０４においては、再生指示されたファイルと同じファイルについての転送要求をサーバ装置５に対して行うための処理を実行する。つまり、ステップＳ１０１にて再生指示が行われた音楽データファイルを特定するための情報を通信処理部２９に供給し、これがネットワークインタフェース３０を介してサーバ装置５側に送信されるように制御することで、サーバ装置５側に格納される音楽データファイルのうちから再生指示が行われた音楽データファイルと同じ音楽データファイルについての転送を要求する。
【００９０】
サーバ装置５側においては、先のステップＳ１０３の接続処理によってパーソナルコンピュータ２側との接続が確立された後、図示するステップＳ２０１において上記転送要求を待機するようにされる。
そして、転送要求があった場合は、ステップＳ２０２において、当該転送要求により要求されたファイルを転送するための処理を行う。つまり、上記転送要求としての、再生指示のあった音楽データファイルを特定するための情報に基づき、サーバ側コンテンツデータベース６８ａ内に格納される音楽データファイルのうちから該当する音楽データファイルを検索する。その上で、検索された音楽データファイルがネットワークインタフェース７０を介して転送要求を行ったパーソナルコンピュータ２に対して転送されるように、通信処理部６９に対する制御を行う。
【００９１】
パーソナルコンピュータ２側では、サーバ装置５側から転送される音楽データファイルの受信をステップＳ１０５にて待機する。そして、サーバ装置５側から転送される音楽データファイルが受信された場合は、ステップＳ１０６において、受信されるファイルについてのストリーミング再生処理を実行するようにされる。
つまり、ネットワークインタフェース３０により受信され、通信処理部２９を介して順次供給される音楽データファイルについて、これをメモリ部２３のＲＡＭ等にバッファリングすると共に、そのバッファリングデータについて圧縮符号伸張処理などの所定のデコード処理を順次行って再生データとしてのオーディオデータを得るようにされる。再生されたオーディオデータはバス２２を介して音声信号処理部３２に順次供給され、このオーディオデータに基づく音声信号が音声出力部３３により出力される。
【００９２】
なお、このようなストリーミング再生処理の実行中においては、再生指示されたファイルがストリーミング再生により再生されていることを明確に示すために、ディスプレイ２７上に例えば「ストリーミング再生中」など、ストリーミング再生が行われていることを示す表示が為されるように構成することもできる。
【００９３】
以上、本発明の実施の形態について説明したが、本発明としてはこれまでに説明した実施の形態に限定されるべきものではない。
例えば実施の形態では、利用制限付きの試聴ファイルとそうでない試聴ファイルとがある場合を例示したが、例えばサーバ装置５側に格納される試聴ファイルの全てが利用制限すべきファイルである場合などには、試聴ファイルに対し特に利用制限情報を付す必要はない。
つまりこの場合、パーソナルコンピュータ２としては、特に利用制限付きの試聴ファイルであるか否かについての判別処理は不要となり、試聴ファイルについては全て再生可能回数情報と転送回数情報とを付し、また再生指示のあった試聴ファイルについては全て、同じファイルについての転送要求をサーバ装置５側に行うように構成すればよい。
【００９４】
また、実施の形態では、利用制限付きであることを示す利用制限情報が予め試聴ファイルと対応づけられてサーバ装置側５で付されている場合を例示した。
しかしながら、配信サイト上の或るコーナーに格納される試聴ファイルは全て利用制限付きであるとされることが前提とされる場合等には、そのコーナーに格納される試聴ファイルについては利用制限情報をサーバ装置５側で予め対応づけておく必要はなく、パーソナルコンピュータ２がそのコーナーからダウンロードした試聴ファイルについては全て再生可能回数情報と転送回数情報を付すように構成することもできる。
また、パーソナルコンピュータ２側が試聴ファイルに対して再生可能回数情報を付す場合を例示したが、再生可能回数情報はサーバ装置５側で予め付されるものとしてもよい。また、転送回数情報についても同じようにサーバ装置５側で予め付されるものとしてもよい。
この場合、サーバ装置５側で予め付される再生可能回数情報（及び転送回数情報）を、利用制限付きファイルであることを示す利用制限情報として扱うことができる。
【００９５】
また、実施の形態では、コンテンツデータは楽曲（音声）データのみとされる場合を例示したが、映像（画像）付きのコンテンツとされる場合にも本発明は好適に適用することができる。
またその場合、携帯端末装置に対し映像再生機能を与えれば、ユーザは携帯端末装置に転送された映像付きの楽曲コンテンツを楽しむことができる。
【図面の簡単な説明】
【００９６】
【図１】実施の形態としてのコンテンツ再生システムの概要について説明するための図である。
【図２】実施の形態の情報処理装置の内部構成について示すブロック図である。
【図３】実施の形態の携帯端末装置の内部構成について示すブロック図である。
【図４】実施の形態のサーバ装置の内部構成について示すブロック図である。
【図５】ダウンロードすべき試聴ファイル群を選択するためのダウンロード番組選択画面の一例を示した図である。
【図６】実施の形態のコンテンツ再生システムにおいて行われる試聴ファイルの再生回数制限動作について模式的に示した図である。
【図７】ダウンロードファイルについての一覧画面の例を示した図である。
【図８】再生可能回数と転送回数とを管理するために情報処理装置に記録されるべき管理情報のデータ構造例を示した図である。
【図９】再生可能回数を管理するために携帯端末装置に記録されるべき管理情報のデータ構造例を示した図である。
【図１０】携帯端末装置に試聴ファイルを再生させるための操作手順を説明するための図として、操作に応じた画面表示遷移例を示した図である。
【図１１】実施の形態としての動作について説明するための模式図である。
【図１２】実施の形態としての動作を実現するために行われるべき処理動作について示したフローチャートである。
【符号の説明】
【００９７】
１  コンテンツ再生システム、２  パーソナルコンピュータ、３  携帯端末装置、４  ネットワーク、５  サーバ装置、２１、４１、６１  ＣＰＵ、２３、６３  メモリ部、２２、６２  バス、２４、６４  入力処理部、２５、６５  入力部、２６、６６  表示処理部、２７、６７  ディスプレイ、２８、５１、６８  ＨＤＤ、２８ａ  ＰＣ側コンテンツデータベース、２９、６９  通信処理部、３０、７０  ネットワークインタフェース、３１、４４  ＵＳＢインタフェース、３２、４９  音声信号処理部、３３  音声出力部、４２  ＲＯＭ、４３  ＲＡＭ、４５  記録／再生部、４６  操作入力部、４７  表示部、４８  表示処理部、５０  ヘッドホンアンプ、５１ａ  端末側コンテンツデータベース、６８ａ  サーバ側コンテンツデータベース
【図１】
2007279945.tif 000003
【図２】
2007279945.tif 000004
【図３】
2007279945.tif 000005
【図４】
2007279945.tif 000006
【図５】
2007279945.tif 000007
【図６】
2007279945.tif 000008
【図７】
2007279945.tif 000009
【図８】
2007279945.tif 000010
【図９】
2007279945.tif 000011
【図１０】
2007279945.tif 000012
【図１１】
2007279945.tif 000013
【図１２】
2007279945.tif 000014